(57)【特許請求の範囲】
【請求項１】
ハウジング内に着脱可能に収容されたコードカードに合致する真正キーカードの挿入によりロック操作部の駆動を可能にするカード式錠装置において、
ロック機構によりハウジングの開口を閉塞する閉蓋状態に保持される蓋と、
ハウジング内に収容されて初期位置からストローク終端位置への移動によりロック操作部を駆動させ、移動禁止位置の閂部材により初期位置からの移動が禁止されるカード錠ユニットと、
ハウジング内に収容されて真正キーカードの挿入により初期位置からロック解除位置まで移動し、ロック機構を解除するとともに、閂部材をカード錠ユニットの移動許可位置に移動させるドライブプレートとを有し、
真正キーカードの所持者により蓋が開放されることによってコードカードの変更を可能にしたカード式錠装置。
【請求項２】
ケースに対して相対移動可能なドライブプレートを備え、コードカードの装着により形成された解錠コードに合致するキーカードを挿入した際にドライブプレートが初期位置からロック解除位置まで移動するカード錠ユニットと、
カード錠ユニットのケースに係止して該カード錠ユニットのキーカード挿入方向への移動を禁止し、ドライブプレートのロック解除位置への移動により禁止解除位置に移動する閂部材とをハウジング内に収容し、
キーカードとともにカード錠ユニットをキーカードの挿入方向に移動させてロック操作部を駆動するカード式錠装置であって、
前記ハウジングには、カード錠ユニットの移動時に解除されるロック機構により閉蓋状態が保持される蓋が装着され、
前記キーカードの所有者が蓋を開放してコードカードの取り替えが可能なカード式錠装置。
【請求項３】
前記ロック機構は、ドライブプレートに開設されたドライブプレートの移動方向に長い長孔と、
蓋に回転自在に装着され、ドライブプレートが初期位置において挿通不能で、少なくともロック解除位置においては挿通可能なロックピース部を備えたプラグからなる請求項２記載のカード式錠装置。
【請求項４】
前記蓋には閂部材を禁止解除位置まで強制移動させる非常錠が装着される請求項２または３記載のカード式錠装置。
【請求項５】
前記ロック操作部はドア内に収容された箱錠のデッドボルト操作部に連結可能であり、
かつ、カード錠ユニットとロック操作部との間には、カード錠ユニットのキーカード挿入方向への移動を該カード錠ユニットの移動動作ごとに反転する回転運動に変換してロック操作部に伝える変換部が介装された請求項２ないし４のいずれかに記載のカード式錠装置と、
コードカードと該コードカードに対応するキーカードを切り離し自在に連結したカードセットとからなるカード式ドア錠。
【発明の詳細な説明】
【０００１】
【発明の属する技術分野】
本発明はカード式錠装置及びカード式ドア錠に関するものである。
【０００２】
【従来の技術】
所定の解錠コードを含むコードカードを取り替えることにより解錠コードを変更し、解錠可能なキーカードを任意に変更できるカード式錠装置としては、特開平９−２９１７２９号に記載されたものが知られている。この従来例において、錠装置は装着されたコードカードの解錠コードに合致するコードを有する真正なキーカードが挿入された際に掛け金の操作が許容される。上記コードカードは錠装置から抜き差し自在であり、コードカードを変えるだけで使用可能なキーカードを変更できる。
【０００３】
【発明が解決しようとする課題】
しかし、上記従来例においてコードカードは抜き差し自在であるために、例えばドア錠として利用する場合には、キーカードの挿入部は室外側に配置する必要があるのに対し、コードカードの挿入部はいたずらでコードカードが抜かれないように室内側に配置する必要があり、以下の問題が生じる。
【０００４】
すなわち、本カード式錠装置を集合アパート等の各部屋に使用し、入居者が入れ替わってコードカードを変更する場合には、一旦室内に入ることが必要となり、管理人の手を煩わせる必要がある。また、錠装置はドアを横断して設置されるために既設のドアへの取り付けが困難である。コードカードの挿入部を施錠可能な蓋により覆い隠すことで錠装置をドアの室外側壁面に固定できるようにすれば既設のドアへの取り付けは容易になるが、この場合にも、依然蓋の解錠のために管理人の手を煩わせることが必要となる。
【０００５】
本発明は以上に対処してなされたもので、コードカードを容易にかつ安全に交換可能で、しかも既設のドア等への取り付けも簡単なカード式錠装置、および該カード式錠装置により構成されるカード式ドア錠の提供を目的とする。
【０００６】
【課題を解決するための手段】
本発明によれば上記目的は、
ハウジング１内に着脱可能に収容されたコードカード２に合致する真正キーカード３の挿入によりロック操作部４の駆動を可能にするカード式錠装置において、
ロック機構７によりハウジング１の開口５を閉塞する閉蓋状態に保持される蓋６と、
ハウジング１内に収容されて初期位置からストローク終端位置への移動によりロック操作部４を駆動させ、移動禁止位置の閂部材１１により初期位置からの移動が禁止されるカード錠ユニット１０と、
ハウジング１内に収容されて真正キーカード３の挿入により初期位置からロック解除位置まで移動し、ロック機構７を解除するとともに、閂部材１１をカード錠ユニット１０の移動許可位置に移動させるドライブプレート９とを有し、
真正キーカード３の所持者により蓋６が開放されることによってコードカード２の変更を可能にしたカード式錠装置を提供することにより達成される。
【０００７】
カード式錠装置の解錠コードを変更するためのコードカード２はハウジング１内に着脱自在に収容されており、ロック機構７を解除してハウジング１に開設された開口５を閉塞する蓋６を開けるとコードカード２を交換できる。蓋６のロック機構７は現在装着されているコードカード２により設定される解錠コードを有するキーカード３を使用して解除することができる。ロック操作部４はそれ自体施解錠動作をするもの、例えばドア１６に収容されるデッドボルトそのものでもよく、また、デッドボルトを操作するための操作杆のようなものであってもよく、本発明のカード式錠装置が適用される錠本体部の施解錠方法により適宜変更される。
【０００８】
したがって本発明において、コードカード２への不正アクセスが禁止されるために、例えばドア１６の室外側壁面に固定することができ、適宜の中継手段を介してドア１６内に収容された箱錠１７のデッドボルトを操作するように構成すれば、既設のドア１６にも容易に設置できる。また、蓋６のロック機構７は真正キーカード３による解錠が可能であるために、例えば集合住宅のドア錠として使用し、居住者が変わった場合には、前居住者から返却された真正キーカード３と新たなコードカード２とキーカード３を新居住者に渡すだけで、新居住者自らがコードカード２を変更することができ、管理者を煩らわせる必要がない。
【０００９】
請求項２に係る発明は、
ケース８に対して相対移動可能なドライブプレート９を備え、コードカード２の装着により形成された解錠コードに合致するキーカード３を挿入した際にドライブプレート９が初期位置からロック解除位置まで移動するカード錠ユニット１０と、
カード錠ユニット１０のケース８に係止して該カード錠ユニット１０のキーカード３挿入方向への移動を禁止し、ドライブプレート９のロック解除位置への移動により禁止解除位置に移動する閂部材１１とをハウジング１内に収容し、
キーカード３とともにカード錠ユニット１０をキーカード３の挿入方向に移動させてロック操作部４を駆動するカード式錠装置であって、
前記ハウジング１には、カード錠ユニット１０の移動時に解除されるロック機構７により閉蓋状態が保持される蓋６が装着され、
前記キーカード３の所有者が蓋６を開放してコードカード２の取り替えが可能なカード式錠装置である。
【００１０】
コードカード２が装着されたカード錠ユニット１０はハウジング１内でキーカード３の挿入方向に移動可能であり、初期状態では閂部材１１により移動が禁止される。カード錠ユニット１０に真正なキーカード３を挿入すると、カード錠ユニット１０のケース８に対してドライブプレート９が相対移動し、閂部材１１の係止を解除する。この後、キーカード３を挿入方向にさらに押し込むと、カード錠ユニット１０全体が移動し、ロック操作部４を操作できる。ロック操作部４をカード錠ユニット１０のケース８の一部として形成した場合には、カード錠ユニット１０の移動により制御対象であるロック部材を直接移動させて施解錠操作をすることが可能であり、ロック部材が回転操作により施解錠操作される場合には、カード錠ユニット１０とロック制御蚋の間には適宜の変換部が介装される。
【００１１】
請求項３に係る発明において、ロック機構７は、
ドライブプレート９に開設されたドライブプレート９の移動方向に長い長孔１２と、
蓋６に回転自在に装着され、ドライブプレート９が初期位置において挿通不能で、少なくともロック解除位置においては挿通可能なロックピース部１３を備えたプラグ１４から構成される。ドライブプレート９の長孔１２位置の移動を直接ロック機構７の動作に関連づけ、中継の機構を要しない本発明によれば、ロック機構７の構造を簡単にすることができる。
【００１２】
請求項４に係る発明において、蓋６に閂部材１１を禁止解除位置まで強制移動させる非常錠１５が装着される。非常錠１５を設けることにより、キーカード３を紛失した際でも施解錠操作を行うことができる上に、上述した請求項３に係る発明のロック機構７が採用されている場合には、カード錠ユニット１０の移動によるロック操作部４の操作は、ロック機構７の解除操作に直結しているために、蓋６を開放してコードカード２を変更することが容易にでき、使い勝手が向上する。
【００１３】
請求項５に係る発明は、
前記ロック操作部４はドア１６内に収容された箱錠１７のデッドボルト操作部１８に連結可能であり、
かつ、カード錠ユニット１０とロック操作部４との間には、カード錠ユニット１０のキーカード３挿入方向への移動を該カード錠ユニット１０の移動動作ごとに反転する回転運動に変換してロック操作部４に伝える変換部１９が介装された請求項２ないし４のいずれかに記載のカード式錠装置と、
コードカード２と該コードカード２に対応するキーカード３を切り離し自在に連結したカードセット２０とからなるカード式ドア錠である。
【００１４】
カード錠ユニット１０への移動操作は変換部１９により回転運動に変換されてロック操作部４に伝達される。ロック操作部４はカード錠ユニット１０の移動ごとに回転方向が反転し、デッドボルト操作部１８に回転操作力を伝達する。一般に既設のドア１６においてデッドボルト操作部１８はハンドル装置等を撤去した際に外部に露出しており、ロック操作部４をデッドボルト操作部１８に連結するだけで既設のドア錠をカード錠を使用したドア錠に変更できる。コードカード２とキーカード３を分離可能に連結したカードセット２０はドア錠の管理数が多い場合の管理を容易にする。
【００１５】
【発明の実施の形態】
図１に示すように、カード式錠装置は、ハウジング１内に収容されるカード錠ユニット１０を有する。ハウジング１の天部にはカード錠ユニット１０のケース８に設けられるキーカード挿入口８ａに連通するカード挿入口１ａが設けられる。カード挿入口１ａはシャッタ２１により閉塞され、キーカード挿入口８ａへの塵埃、雨等の侵入が防止される。
【００１６】
図２に示すように、カード錠ユニット１０はケース８内に可動部１０ａを移動可能に収容して構成され、ケース８内に装着されたコードカード２が持つ解錠コードに合致するキーカード３が挿入された場合のみ図２において鎖線で示すように、可動部１０ａの相対移動を許容するように構成される。コードカード２とキーカード３との組み合わせによる可動部１０ａの移動の許可（解錠）、禁止（施錠）の構造は、特開平９−２９１７２９号公報等に周知であるが、一般に、ケース８に対する摺動境界面と一対のロックピンの境界面を一致させることにより、可動部１０ａの移動を許容し（解錠状態）、ロックピンの境界面を摺動境界面以外に移動させることにより可動部１０ａの移動を禁止する（施錠状態）ように構成される。コードカード２を装着した状態で上記ピン間境界面は摺動境界面と不一致であり、キーカード３はこの不一致を是正してピン間境界面を摺動境界面上に整列させる。コードカード２は着脱自在であり、コードカード２を変更すれば従前のキーカード３による可動部１０ａの操作が禁止される。
【００１７】
カード錠ユニット１０はハウジング１の底板１ｂにスペーサ２２を介して固定されるベースプレート２３に沿って上下方向に移動可能であり、圧縮スプリング２５により上方に付勢される。圧縮スプリング２５は、ベースプレート２３と底板１ｂとの間に介装され、後述するドライブピン２４にバーリング突起を係合させてカード錠ユニット１０に連結されるスライドプレート２６とベースプレート２３との間に装着される。なお、図１において２７はベースプレート２３とスライドプレート２６にそれぞれ切り起こされるバネ受け片２３ａ、２６ａの間に架設されるスプリングガイドを示す。
【００１８】
図３に示すように、このカード錠ユニット１０の下方への移動はケース８背面に突出するストッパ部８ｂが閂部材１１に係止することにより禁止されており、該閂部材１１の係止を解除するためのドライブプレート９がカード錠ユニット１０の可動部１０ａに上記ドライブピン２４とともに共締めされる。閂部材１１はベースプレート２３の表面に沿って側方に移動可能であり、トーションスプリング２８によりユニットの移動禁止位置側に付勢される。トーションスプリング２８は一端がベースプレート２３の突起２３ｂに係止し、他端が閂部材１１に係止して閂部材１１に付勢力を与える。
【００１９】
装着されたコードカード２に合致するキーカード３を挿入して下方に押し付けると、図３（ｂ）に示すように、ドライブプレート９が初期位置からケース８に対して下方に相対移動してロック解除位置に移動する。ドライブプレート９にはノッチ９ａが設けられ、ロック解除位置への移動により該ノッチ９ａに係止している閂部材１１の突起１１ａを側方に押しやり、閂部材１１はカード錠ユニット１０の移動許可位置に移動する。閂部材１１の退避によりカード錠ユニット１０全体の下方への移動が許容され、さらにキーカード３を押し込むとカード錠ユニット１０全体が下方に移動する。この後、キーカード３から手を離すと、カード錠ユニット１０は圧縮スプリング２５の復元力により原位置に復帰し、次いで閂部材１１もトーションスプリング２８の復元力により原位置に復帰してカード錠ユニット１０の下方移動を禁止する。
【００２０】
この実施の形態に係るカード式錠装置は、ドア錠、特に既設のドア１６にも設置可能なドア錠として最適化されたもので、ドア１６内に収容された周知の箱錠１７のデッドボルト操作部１８を臨むロック操作部４と、上記カード錠ユニット１０の下方への移動をロック操作部４の回転運動に変換してデッドボルト操作部１８を回転操作し、デッドボルトをドア１６端面から進退させる変換部１９を備える。ロック操作部４は例えば図１に示すように、ドア１６の室内側壁面にデッドボルトを操作するために装着されるハンドル装置のサムターンの回動軸２９に連結される。
【００２１】
図４に示すように、変換部１９はスライドプレート２６の背面に回動自在に枢支される揺動リンク１９ａと、ベースプレート２３の背面であって、揺動リンク１９ａの直下に回動自在に枢支される回転子１９ｂからなる。揺動リンク１９ａはほぼ中心位置においてスライドプレート２６に枢支され、枢軸１９ｃ回りに巻装されるトーションスプリング１９ｄにより中立姿勢に付勢される。回転子１９ｂには対称位置にはスライドプレート２６、および底板１ｂを貫通して底板１ｂの背面に至る一対の操作突部１９ｅが突設され、操作突部１９ｅを介してロック操作部４に回転方向に連結される。カード錠ユニット１０の降下とともに揺動リンク１９ａが降下すると、底辺が揺動中心からずれた位置でいずれか一方、正確には上方に位置する側の操作突部１９ｅに衝接し、さらに降下すると、図４（ｂ）に示すように、揺動リンク１９ａは衝接した操作突部１９ｅ側に揺動しながら該操作突部１９ｅを押し下げ、回転子１９ｂを所定方向、すなわち、衝接側の操作突部１９ｅが押し下げられる方向に回転する。回転子１９ｂの回転により非衝接側の操作突部１９ｅは上方に移動するが、揺動リンク１９ａは衝接側の操作突部１９ｅに向けて揺動するために、揺動リンク１９ａと非衝接側の操作突部１９ｅとは干渉することがない。なお、スライドプレート２６の降下時に操作突部１９ｅが干渉しないように、スライドプレート２６には縦長の挿通孔２６ｂが開設される。図４（ｃ）に示すように、カード錠ユニット１０が原位置に復帰した状態においては、押し下げられた側と対称位置の操作突部１９ｅが上方に位置しており、この後、再度カード錠ユニット１０を降下させると、揺動リンク１９ａは上述したと同様に、上方側の操作突部１９ｅに衝接した後、該衝接側の操作突部１９ｅを押し下げる方向、すなわち、前回とは逆方向に回転子１９ｂを回転させる。
【００２２】
したがってこの実施の形態において、カード式錠装置に真正キーカード３を挿入して下方に押し付ける操作をするごとに、回転子１９ｂとロック操作部４は逆方向に回転する。ロック操作部４の回転方向はデッドボルトの進退方向、すなわち、施解錠操作に対応するために、キーカード３による操作ごとに施解錠操作が交互に行われる。
【００２３】
カード式錠装置に装着するコードカード２を交換可能とするために、ハウジング１には蓋６により閉塞される開口５が設けられる。蓋６は室外側正面位置に配置され、上端に設けた回動ヒンジ６ａ回りに回転自在に装着され、蓋６を開けるとハウジング１のほぼ下半分が露出し、カード錠ユニット１０から下縁部が露出しているコードカード２を抜いたり、あるいはカード錠ユニット１０内に新たなコードカード２を装着できる。コードカード２への不正アクセスを防止するために、蓋６にはロック機構７が装着される。ロック機構７は、図５に示すように、蓋６に外部から常時自由に回転操作できるように装着されるプラグ１４と、上記ドライブプレート９とから構成される。プラグ１４の頭部にはコイン等で回転操作を行えるようにスリット１４ａが形成される。プラグ１４の先端に形成されたロックピース部１３はドライブプレート９の長孔１２に挿入される。ロックピース部１３は長孔１２の幅方向寸法に対して小さな幅寸法と、大きな長さ寸法を有して小判形状に形成される。カード錠ユニット１０が押し下げられていない初期位置にあるときには、図５（ａ）に示すように、ドライブプレート９の長孔１２の下端部がロックピース部１３に対応しており、この状態でロックピース部１３が長孔１２に沿うようにプラグ１４を回転させても、ロックピース部１３が長孔１２の周辺に係止しているために蓋６を開けることができない。一方、長孔１２の上端位置は図５（ｃ）に示すように、カード錠ユニット１０が下方ストローク終端位置にある際にロックピース部１３を長孔１２に沿わせた場合、該ロックピース部１３が挿通可能な寸法に形成されており、カード錠ユニット１０が該降下位置、あるいはその途上にある場合には、プラグ１４を回転させてロックピース部１３を長孔１２に沿わせると、蓋６を開け、ハウジング１内のコードカード２にアクセスすることができる。
【００２４】
さらにこの実施の形態において、ハウジング１には非常錠１５が装着される。非常錠１５はキーカード３を紛失した際のデッドボルトへの操作を可能にするもので、所定の解錠コードが刻設されたキーのみによりシリンダケース１５ａ内で回転させることのできるキーシリンダ１５ｂを有する。また、ベースプレート２３にはフックレバー３０が回転可能に枢支される。図６に示すように、フックレバー３０には下方に向けて開放する係合切り欠き３０ａが開設されるとともに、キーシリンダ１５ｂの先端には係合切り欠き３０ａに係合可能な小判断面部１５ｃが形成され、小判断面部１５ｃを係合切り欠き３０ａに係合させた状態でキーシリンダを回転させると図６（ｂ）に示すように、フックレバー３０の先端が閂部材１１を押しやって閂部材１１をカード錠ユニット１０の移動許容位置に移動させることができる。
【００２５】
したがってこの実施の形態において、非常錠１５を所定のキーにより回転させた後、カード錠ユニット１０に挿入されたダミーのキーカード３を押し下げると、カード錠ユニット１０は閂部材１１による下方移動が禁止されていないために降下し、上述した変換部１９を動作させてデッドボルトを操作できる。また、上述したように、カード錠ユニット１０を初期位置から降下させた状態では蓋６の開閉が許容されるために、プラグ１４を回転させて蓋６を開放することによりコードカード２の変更もできる。コードカード２が変更されると、紛失したキーカード３での解錠が禁止されるために、紛失したキーカード３を不正に入手した者による解錠操作のおそれもない。
【００２６】
以上説明したカード式錠装置は以下のようにして既設のドア１６に設置できる。まず、室外側のハンドル装置を取り外した後、ドア１６内に収容される箱錠１７のデッドボルト操作部１８にロック操作部４が対応するようにカード式錠装置をドア１６の室外側壁面に固定する。デッドボルト操作部１８が孔状に形成される場合にはロック操作部４に上記孔に嵌合可能なアタッチメントが固定され、デッドボルト操作部１８が室内側のサムターンの回転軸２９を共用する場合には、該回転軸２９への連結用のアタッチメントがロック操作部４に固定される。集合住宅の管理用等に使用する場合には、図７に示すように、コードカード２とキーカード３を切断可能部を介して連結し、一体としたカードセット２０を用意しておくと、管理上便利になる。例えば、入居者が変わった場合には、現在装着されているコードカード２に対応するキーカード３と、上記カードセット２０を新入居者に渡せば、新入居者は旧キーカード３を利用して蓋６を開放し、旧コードカード２を渡されたカードセット２０に交換し、切断可能部から切り離したキーカード３を使用して施解錠できる。
【００２７】
【発明の効果】
以上の説明から明らかなように、本発明によれば、コードカードを容易にかつ安全に交換可能で、しかも既設のドア等への取り付けも簡単にできる。
【図面の簡単な説明】
【図１】本発明を示す断面図である。
【図２】カード錠ユニットを背面から見た斜視図である。
【図３】閂部材の係脱状態を示す説明図で、（ａ）は蓋装着面側から見た要部説明図、（ｂ）は閂部材の係合解除状態を示す要部説明図である。
【図４】変換部の動作を示す説明図である。
【図５】ロック機構を示す説明図で、（ａ）は要部説明図、（ｂ）は（ａ）の５Ｂ−５Ｂ線断面図、（ｃ）はロック解除状態を示す説明図である。
【図６】非常錠の動作状態を示す説明図である。
【図７】カードセットを示す平面図で、（ａ）は連結状態を示す図、（ｂ）は分離状態を示す図である。
【符号の説明】
１          ハウジング
２          コードカード
３          キーカード
４          ロック操作部
５          開口
６          蓋
７          ロック機構
８          ケース
９          ドライブプレート
１０        カード錠ユニット
１１        閂部材
１２        長孔
１３        ロックピース部
１４        プラグ
１５        非常錠
１６        ドア
１７        箱錠
１８        デッドボルト操作部
１９        変換部
２０        カードセット
【図１】
0003593256.tif 000002
【図２】
0003593256.tif 000003
【図３】
0003593256.tif 000004
【図４】
0003593256.tif 000005
【図５】
0003593256.tif 000006
【図６】
0003593256.tif 000007
【図７】
0003593256.tif 000008